(57)【要約】動物用のチュアブル玩具は、デンプン材料および分解性エチレンコポリマーを含む１００重量部の分解性ポリマー組成物；５ないし３０重量部のイソマルト；および０．５ないし５重量部のニンニクまたはその派生物；を含む混合物を所望の形状に成型することにより製造することができる。【特許請求の範囲】
【請求項１】
デンプン性材料および分解性エチレンコポリマーを含む１００重量部の分解性ポリマー組成物；
５ないし３０重量部のイソマルト；および
０．５ないし５重量部のニンニクまたはその派生物；
を含む混合物を所望の形状に成型することにより製造することのできる、動物用チュアブル玩具。
【請求項２】
当該混合物が分解性ポリマー組成物１００重量部当たり１０ないし２０重量部のイソマルトを含むところの、請求項１記載の玩具。
【請求項３】
当該混合物が分解性ポリマー組成物１００重量部当たり１ないし３重量部のニンニクまたはその派生物を含むところの、上記した請求項のいずれか一項に記載の玩具。
【請求項４】
ニンニクの派生物が、ニンニクの球根の水中懸濁液をその重量比が１：２と１：５の間にあるように形成させ、その後に当該懸濁液を−５０℃に４ないし８時間冷却する予備段階に付して凍結乾燥させ、つづいて１２時間と２４時間の間５０℃を越えない温度に加熱する段階に付した結果として生成することのできる粉末であるところの、上記した請求項のいずれか一項に記載の玩具。
【請求項５】
当該混合物がまた、分解性ポリマー組成物１００重量部当たり１ないし２０重量部、好ましくは５ないし１０重量部のチェストナッツ・フラワーを含むところの、上記した請求項のいずれか一項に記載の玩具。
【請求項６】
当該混合物がまた、分解性ポリマー組成物１００重量部当たり５ないし３０重量部、好ましくは１５ないし２０重量部の粉砕された動物の生皮を含むところの、上記した請求項のいずれか一項に記載の玩具。
【請求項７】
当該混合物がまた、分解性ポリマー組成物１００重量部当たり０．０１ないし１重量部の皮芳香物を含むところの、上記した請求項１ないし５のいずれか一項に記載の玩具。
【請求項８】
当該混合物が分解性ポリマー組成物１００重量部当たり０．５ないし３重量部、好ましくは１ないし２重量部のヘキサメタリン酸ナトリウムを含むところの、上記した請求項のいずれか一項に記載の玩具。
【請求項９】
デンプン性材料がデンプン、加水分解されたデンプン、デンプンデキストリンおよびその混合物からなる群より選択されるところの、上記した請求項のいずれか一項に記載の玩具。
【請求項１０】
分解性エチレンコポリマーがポリ（エチレン−アクリル酸）、ポリ（エチレン−ビニルアルコール）およびその混合物からなる群より選択されるところの、上記した請求項のいずれか一項に記載の玩具。
【請求項１１】
エチレンコポリマーとデンプン性材料の間の重量比が１：６と２：１の間の範囲内にある、好ましくは１：６と１：１の間の範囲内にあるところの、上記した請求項のいずれか一項に記載の玩具。
【請求項１２】
当該ポリマー組成物がまた、１０重量％と４０重量％の間の配合量にて可塑剤を含み、その可塑剤がグリセロール、ソルビトール、ソルビタン、マニトール、マルチトール、硬化デンプンシロップ、シュークロース、マルトース、フルクトースおよびその混合物からなる群より選択されるところの、上記した請求項のいずれか一項に記載の玩具。
【請求項１３】
骨の形状の、上記した請求項のいずれか一項に記載の玩具。
【発明の詳細な説明】
【発明の詳細な説明】
【０００１】
（発明の分野）
本発明は動物、特に例えばイヌ、ネコ、囓歯動物およびトリなどのペット用のチュアブル玩具に関する。
【０００２】
（背景技術）
これらの動物は家庭環境にある様々な物品を用いて遊ぶのが好きであることが知られている。この観察に基づいて、近年では、当該物品が有害な物質などを含有するということから、危険である可能性のある家庭用物品に優先して動物の注意を引くことのできるチュアブル玩具が製造されている。既知のチュアブル玩具の一例が当該出願人の米国特許第５４１９２８３号に記載されている。
【０００３】
（発明の開示）
本発明の目的は、その消費が、特に口腔衛生および歯のケアに関連して動物を積極的に健康に維持する手助けとなる、動物用チュアブル玩具を提供することである。
この目的は、
デンプン性材料および分解性エチレンコポリマーを含む１００重量部の分解性ポリマー組成物；
５ないし３０重量部のイソマルト；および
０．５ないし５重量部のニンニクまたはその派生物；
を含む混合物を所望の形状に成型することにより製造され得る、動物用チュアブル玩具により達成される。
【０００４】
イソマルトは、略等量部の異性体、１−Ｏ−α−Ｄ−グルコピラノシル−Ｄ−マニトール・二水和物と６−Ｏ−α−Ｄ−グルコピラノシル−Ｄ−ソルビトールとからなる水素化されたイソマルトローゼである。商業上入手可能なイソマルトは、二段階工程、その第一段階がシュークロースをイソマルトローゼに酵素転位し、第二段階がそのイソマルトローゼを水素およびラネーニッケルで水素添加する、工程により製造される人工甘味料である。
動物が本発明のチュアブル玩具を消費することで誤った食餌習慣の形成が防止される。
事実、ペットの飼い主はペットに普通の甘い物を与えることが多く、その結果、ペットは甘く美味しい食べ物に慣れるようになり、重度の腎臓、肝臓および胃腸の不均衡が惹起される。このつながりにおいては、ココアおよびプレーンチョコレートに含まれるテオブロミンが生物にもたらす毒性作用に言及することができる。
【０００５】
他方、本発明に係るイソマルト含有の組成物はこれらのいずれの損傷作用も惹起せず、その一方で甘く美味しい物に慣れた動物の味覚をも満足させる。同時に、口中に存在する細菌は虫歯となるためのエネルギー源としてイソマルト含有組成物を利用することができないため、この組成物は動物の歯に対する損傷を防止する手助けともなる。その上、イソマルトは歯垢の形成も減少させ、エナメル質を構築する手助けを行う。さらに普通の糖よりもずっと少量でずっとゆっくりと酵素により消化される。したがって、その消費した結果、普通の糖を消費した後に起こる変化とは対照的に、その血中の糖およびインスリンの濃度は有意に変化しない。
【０００６】
ニンニクおよびその派生物は、そのビタミンＢ１、Ｂ２およびＣ含量、ならびにその防腐作用、活性化特性、刺激作用および駆虫作用から、本発明の玩具の混合物にとって有用な成分を構成する。
好ましくは、摂取した後に息に不快な臭いを与えないニンニクの派生物、例えば、ＥＰ−５３８７０８（その出典を明示することで本明細書の一部とする）に記載の方法に従って製造することのできる派生物を用いる。要約すれば、かかる派生物は、ニンニクの球根の水中懸濁液をその重量比が１：２と１：５の間にあるように形成させ、その後に当該懸濁液を−５０℃に４ないし８時間冷却する予備段階に付して凍結乾燥させ、つづいて１２時間と２４時間の間５０℃を越えない温度に加熱する段階に付したその結果として生成することのできる粉末である。
【０００７】
本発明の好ましい具体例においては、上記した混合物は、分解性ポリマー組成物１００重量部当たり１０ないし２０重量部のイソマルトおよび／または１ないし３重量部のニンニクまたはその派生物を含む。
有利には、デンプン（例えば、トウモロコシおよび／またはイモデンプン）、加水分解されたデンプン、デンプンデキストリンおよびその混合物からなる群より選択されるデンプン性材料、およびポリ（エチレン−アクリル酸）、ポリ（エチレン−ビニルアルコール）およびその混合物からなる群より選択される分解性エチレンコポリマーを上記したポリマー組成物に用いる。エチレンコポリマーとデンプン性材料の間の重量比は好ましくは１：６と２：１の間の範囲内にあり、さらに好ましくは１：６と１：１の間の範囲内にある。
【０００８】
上記したポリマー組成物はまた、好ましくは１０重量％と４０重量％の間の量にて、例えばグリセロール、ソルビトール、ソルビタン、マニトール、マルチトール、硬化デンプンシロップ、シュークロース、マルトース、フルクトースおよびその混合物からなる群より選択される可塑剤を含んでいてもよい。
有利には、本発明の玩具の混合物はまた、分解性ポリマー組成物１００重量部当たり１ないし２０重量部、好ましくは５ないし１０重量部のチェストナッツ・フラワーを含んでいてもよい。
チェストナッツ・フラワーは１０−１５日間乾燥させ、ついで皮をむいて実を覆っている外皮を剥ぎ、最後にクラッシュミルにて粉々にされる、新鮮なチェストナッツより調製される。
こうして得られるチェストナッツ・フラワーは実質的にグルテン不含であり、エネルギー値が約１３００−１４００ｋＪ／１００ｇと、天然糖に富んでいる。それはまた酸環境下で安定したゲル化物質を含有する。
【０００９】
チェストナッツ・フラワーの配合は、本発明のチュアブル玩具に用いられる混合物に収斂性、脱塩特性および活性化特性を、ならびにかなりのエネルギーを付与し、救助犬および犬ゾリの犬などの活動する犬にとって特に適するものとなる。
本発明の玩具の混合物はまた、分解性ポリマー組成物１００重量部当たり０．５ないし３重量部、好ましくは１ないし２重量部のヘキサメタリン酸ナトリウムを含むのが有利である。
この成分はイソマルトと一緒になって効果的な相乗作用を構築し、この型の混合物で製造されたチュアブル玩具を消費するイヌの歯石形成をさらに減少させる。
【００１０】
本発明のチュアブル玩具を製造するのに使用される混合物はまた、分解性ポリマー組成物１００重量部当たり５ないし３０重量部、好ましくは１５ないし２０重量部の粉砕した動物の生皮を含んでいてもよい。この成分により本発明の玩具はより食欲をそそるものとなり、動物皮に基づいてチュアブル玩具を食するのに用いられる。粉砕した動物皮に代わるものとして、分解性ポリマー組成物１００重量部当たり０．０１と１重量部の間の配合量の皮芳香物（hide aroma）の使用を考慮することもできる。
本発明のチュアブル玩具の製造に用いられる混合物のさらなる任意の成分は、分解性ポリマー組成物１００重量部当たり０．５と３重量部の配合量のセージ葉により構成される。
【００１１】
上記した混合物は熱可塑性材料の処理に用いられる標準的な方法および技法により処理することができる。例えば、本発明のチュアブル玩具は所望の最終形状を形成することのできる型を用いて上記した成分の混合物を射出成型に付すことで製造することができる。
有利には、イヌを対象とする玩具は骨の形状であり、ネコを対象とする玩具は魚の形状またはネズミの形状である。
本発明のさらなる利点および特徴は以下の実施例から明らかになるであろう。
【００１２】
実施例１
以下の成分を表示の配合量で含む混合物を製造した：
−トウモロコシデンプンおよびポリ（エチレンビニルアルコール）    １００重量部
を含む生分解性ポリマー組成物
−イソマルト                                                      ２０重量部
−ＥＰ５３８７０８の方法に従って製造されるニンニク粉末              １重量部
この混合物を従来の射出成型器のホッパーに充填し、雌型の骨の形状を再生する型に注入した。成型サイクル時間は約４５秒であり、成型温度は９０℃と１００℃の間であった。成型処理を終えて、骨型のチュアブル玩具を得た。
【００１３】
実施例２−６
実施例１に従って、出発混合物の組成を、そのデータを重量部で表す、表１に示されるように変化させた、方法と同様の方法により骨の形状のチュアブル玩具を製造した。
【表１】
2005518815.tif 000002
【００１４】
必然的に、製造についての詳細な事項および具体例の態様について同じものを保持する発明の原理は、単に実施例に記載されていることから、その範囲を逸脱しない程度で、大きく変化してもよい。
【国際調査報告】
2005518815.tif 000003
2005518815.tif 000004